(57)【要約】      （修正有）【課題】脇の下の汗の吸収性に優れるとともに、位置ずれが生じ難く、且つ装着が容易なショルダー式汗取りパッドを提供する。【解決手段】ショルダー式汗取りパッドＡは、左径小口部１１、帯体２を右径大口１２に取り付けた右径大口部１３、上短曲面１４、および吸水部３を内側に設けた下長曲面１５を有し、偏心円錐筒状を呈する左腕用パッド１と、右径小口部４１、帯体２を左径大口４２に取り付けた左径大口部４３、上短曲面４４、および吸水部３を内側に設けた下長曲面４５を有し、偏心円錐筒状を呈する右腕用パッド４とを備えてなる。このため、装着が容易であるとともに、スポーツ等の運動を行っても、各腕用パッド１、４が位置ずれすることなく各上腕へ密着し、吸水部３が確実に各腋窩に当接して汗を漏れなく吸収する。【選択図】図１
0003158942.tif 000002
【実用新案登録請求の範囲】
【請求項１】
左径小口へ差し込まれた左上腕を包囲する左径小口部、
左側ブラジャー紐に固定するための複数の固定具が右径大口に取り付けられ、左肩峰から左腋窩へ至る左上腕基部を包囲する右径大口部、
前記左径小口から前記右径大口までの寸法が短く、内側が前記左肩峰に当接する上短曲面、
および前記左腋窩に当接する吸水部が内側に設けられ、前記左径小口から前記右径大口までの寸法が長い下長曲面を有し、可撓性材で形成され偏心円錐筒状を呈する左腕用パッドと、
右径小口へ差し込まれた右上腕を包囲する右径小口部、
右側ブラジャー紐に固定するための複数の固定具が左径大口に取り付けられ、右肩峰から右腋窩へ至る右上腕基部を包囲する左径大口部、
前記右径小口から前記左径大口までの寸法が短く、内側が右肩峰に当接する上短曲面、  および前記右腋窩に当接する吸水部が内側に設けられ、前記右径小口から前記左径大口までの寸法が長い下長曲面を有し、可撓性材で形成され偏心円錐筒状を呈する右腕用パッドとを備えてなるショルダー式汗取りパッド。
【請求項２】
前記固定具は、径大口部外面に縫い付けられ、突起を帯外面に固着した一端側と、前記突起を挿入可能なリングを嵌着し、前記一端側へ自在に折り曲げ可能な他端側とを有する帯体であることを特徴とする請求項１に記載のショルダー式汗取りパッド。
【請求項３】
前記右側ブラジャー紐または前記左側ブラジャー紐に固定するための前記固定具を廃止するとともに、前記左腕用パッドの前記下長曲面の下部と、前記右腕用パッドの前記下長曲面の下部とを背中当接帯で連結したことを特徴とする請求項１に記載のショルダー式汗取りパッド。
【請求項４】
前記吸水部は、左右腋窩の皮膚に当接する綿素材層、汗を吸収する吸収層、防水性を有する防水層の三層構造であることを特徴とする請求項１乃至請求項３の何れか１項に記載のショルダー式汗取りパッド。
【考案の詳細な説明】
【技術分野】
【０００１】
本考案は、脇の下の汗を取るためのショルダー式汗取りパッドに関する。
【背景技術】
【０００２】
脇の下の汗は、不快であり、衣服にシミが付いたり、体臭の発散を招く。これを解決するため、従来より、下記の汗取りパッドが知られている。
【０００３】
汗取りパッドは、パッド本体を内部に収容した上部開口の袋体と、ブラジャーに袋体を着脱可能に取り付けるための複数個の取付け具とを備える。そして、汗取りパッドの袋体を取付け具で所定位置に取り付けてブラジャーを装着する（特許文献１参照）。
【先行技術文献】
【特許文献】
【０００４】
【特許文献１】特開平８−１７０２０１号公報
【考案の概要】
【考案が解決しようとする課題】
【０００５】
上記特許文献１は、下記の課題を有する。
乳当パットの外縁に袋体を取り付けるため、違和感を与え易いとともに、汗取りパッドの位置ずれが起き易い。また、ブラジャーが形崩れし易い。
【０００６】
本考案の目的は、脇の下の汗の吸収性に優れるとともに、位置ずれが生じ難く、且つ装着が容易なショルダー式汗取りパッドの提供にある。
【課題を解決するための手段】
【０００７】
（請求項１について）
ショルダー式汗取りパッドは、可撓性材で形成され偏心円錐筒状を呈する、左腕用パッドおよび右腕用パッドを備えてなる。
左腕用パッドは、左径小口へ差し込まれた左上腕を包囲する左径小口部と、左側ブラジャー紐に固定するための複数の固定具が右径大口に取り付けられ、左肩峰から左腋窩へ至る左上腕基部を包囲する右径大口部と、左径小口から右径大口までの寸法が短く、内側が左肩峰に当接する上短曲面と、左腋窩に当接する吸水部が内側に設けられ、左径小口から右径大口までの寸法が長い下長曲面とを有する。
【０００８】
右腕用パッドは、右径小口へ差し込まれた右上腕を包囲する右径小口部と、右側ブラジャー紐に固定するための複数の固定具が左径大口に取り付けられ、右肩峰から右腋窩へ至る右上腕基部を包囲する左径大口部と、右径小口から左径大口までの寸法が短く、内側が右肩峰に当接する上短曲面と、右腋窩に当接する吸水部が内側に設けられ、右径小口から左径大口までの寸法が長い下長曲面とを有する。
【０００９】
先ず、素肌の状態で、左腕用パッドの右径大口へ左腕を差し込んで左径小口から出し、左腕用パッドを右手で左肩まで引っ張り上げる。これにより、左腕用パッドの左径小口部が左上腕を包囲し、左肩峰から左腋窩へ至る左上腕基部を右径大口部が包囲し、上短曲面の内側が左肩峰に当接し、下長曲面の内側に設けた吸水部が左腋窩に当接する。
【００１０】
次に、右腕用パッドの左径大口へ右腕を差し込んで右径小口から出し、右腕用パッドを左手で右肩まで引っ張り上げる。これにより、右腕用パッドの右径小口部が右上腕を包囲し、右肩峰から右腋窩へ至る右上腕基部を左径大口部が包囲し、上短曲面の内側が右肩峰に当接し、下長曲面の内側に設けた吸水部が右腋窩に当接する。
【００１１】
つぎに、ブラジャーを着用する。
そして、右径大口に取り付けられた複数の固定具で左側ブラジャー紐に左腕用パッドを固定し、左径大口に取り付けられた複数の固定具で右側ブラジャー紐に右腕用パッドを固定する。
更に、左腋窩近傍に位置する左腕用パッドの右径大口近傍のパッド地をブラジャーの中へ押し込み、右腋窩近傍に位置する右腕用パッドの左径大口近傍のパッド地をブラジャーの中へ押し込む。
【００１２】
（請求項２について）
左右のブラジャー紐に固定するため各径大口に取り付けられる固定具は、径大口部外面に縫い付けられ、突起を帯外面に固着した一端側と、突起を挿入可能なリングを嵌着し、一端側へ自在に折り曲げ可能な他端側とを有する帯体である。
帯体の他端側と一端側との間にブラジャー紐を挟み、リングを突起に挿入すれば、各腕用パッドがブラジャーに固定される。
【００１３】
（請求項３について）
請求項３のショルダー式汗取りパッドは、各ブラジャー紐に固定するための固定具を廃止するとともに、左腕用パッドの下長曲面の下部と、右腕用パッドの下長曲面の下部とを背中当接帯で連結している。
【００１４】
先ず、素肌の状態で、左腕用パッドの右径大口へ左腕を差し込んで左径小口から出し、背中当接帯を背中に回し、背中の後ろ側で、右腕用パッドの左径大口へ右腕を差し込んで右径小口から出し、左腕用パッドを左肩まで引っ張り上げ、右腕用パッドを右肩まで引っ張り上げる。
【００１５】
これにより、左腕用パッドの左径小口部が左上腕を包囲し、左肩峰から左腋窩へ至る左上腕基部を右径大口部が包囲し、上短曲面の内側が左肩峰に当接し、下長曲面の内側に設けた吸水部が左腋窩に当接する。また、右腕用パッドの右径小口部が右上腕を包囲し、右肩峰から右腋窩へ至る右上腕基部を左径大口部が包囲し、上短曲面の内側が右肩峰に当接し、下長曲面の内側に設けた吸水部が右腋窩に当接する。
【００１６】
つぎに、ブラジャーを着用する。
そして、左右肩峰近傍に位置する左右径大口近傍のパッド地を各ブラジャー紐で押さえる。更に、左腋窩近傍に位置する左腕用パッドの右径大口近傍のパッド地をブラジャーの中へ押し込み、右腋窩近傍に位置する右腕用パッドの左径大口近傍のパッド地をブラジャーの中へ押し込む。
【００１７】
（請求項４について）
各パッドの下長曲面の内側に設けられ左右腋窩に当接する吸水部は、各腋窩の皮膚に当接する綿素材層、汗を吸収する吸収層、防水性を有する防水層の三層構造である。
【考案の効果】
【００１８】
（請求項１について）
ショルダー式汗取りパッドは、各腕用パッドの左右径大口へ腕を差し込んで左右径小口から出し、肩まで引っ張り上げ、各径大口に取り付けられた複数の固定具でブラジャー紐に各腕用パッドを固定する構造であるので装着が容易である。また、スポーツ等の運動を行っても、各腕用パッドが位置ずれすることなく上腕へ密着するので、吸水部が確実に腋窩に当接し、腋窩の汗を漏れなく吸収する。
ショルダー式汗取りパッドは、胸元や背中が大きく開いた服を着ても露出しないので、着れる服の自由度が高い。
【００１９】
（請求項２について）
帯体の他端側と一端側との間にブラジャー紐を挟み、リングを突起に挿入するだけで、各腕用パッドをブラジャーに簡単に固定することができる。
【００２０】
（請求項３について）
左腕用パッドの下長曲面の下部と、右腕用パッドの下長曲面の下部とを背中当接帯で連結する構造であるので、各ブラジャー紐に、各腕用パッドを固定するための固定具を廃止することができる。
【００２１】
ショルダー式汗取りパッドは、左腕用パッドの右径大口へ左腕を差し込んで左径小口から出し、背中当接帯を背中に回し、背中の後ろ側で、右腕用パッドの左径大口へ右腕を差し込んで右径小口から出し、左腕用パッドを左肩まで引っ張り上げ、右腕用パッドを右肩まで引っ張り上げるだけであるので装着が容易である。また、スポーツ等の運動を行っても、各腕用パッドが位置ずれすることなく上腕へ密着するので、吸水部が確実に腋窩に当接し、腋窩の汗を漏れなく吸収する。
ショルダー式汗取りパッドは、胸元が大きく開いた服を着ても露出しないので、着れる服の自由度が高い。
【００２２】
（請求項４について）
各パッドの下長曲面の内側に設けられ腋窩に当接する吸水部は、腋窩の皮膚に当接する綿素材層、汗を吸収する吸収層、防水性を有する防水層の三層構造である。
腋窩の皮膚に当接する綿素材層は、肌にやさしく、肌触りも良い。
吸収層が汗を吸収する。
防水層が吸収層が吸収した汗の衣服への汗移りを防護する。
【図面の簡単な説明】
【００２３】
【図１】本発明の実施例１に係るショルダー式汗取りパッドの説明図である。
【図２】（ａ）〜（ｄ）は、実施例１に係るショルダー式汗取りパッドを胸部へ装着する手順を示す説明図である。
【図３】そのショルダー式汗取りパッドの左腕用パッドを右径大口側から見た状態を示す説明図、および吸水部の分解斜視図である。
【図４】本発明の実施例２に係るショルダー式汗取りパッドの説明図である。
【図５】（ａ）〜（ｄ）は、実施例２に係るショルダー式汗取りパッドを胸部へ装着する手順を示す説明図である。
【考案を実施するための形態】
【００２４】
可撓性材で形成されるショルダー式汗取りパッドは、左径小口部、複数の固定具を右径大口に取り付けた右径大口部、上短曲面、および吸水部を内側に設けた下長曲面を有し、偏心円錐筒状を呈する左腕用パッドと、左径小口部、複数の固定具を左径大口に取り付けた左径大口部、上短曲面、および吸水部を内側に設けた下長曲面を有し、偏心円錐筒状を呈する右腕用パッドとを備えてなる。
【００２５】
先ず、素肌の状態で、左腕用パッドの右径大口へ左腕を差し込み、右肩まで引っ張り上げる。次に、右腕用パッドの左径大口へ右腕を差し込み、右肩まで引っ張り上げる。そして、ブラジャーを着用し、右径大口に取り付けられた複数の固定具で左側ブラジャー紐に左腕用パッドを固定し、左径大口に取り付けられた複数の固定具で右側ブラジャー紐に右腕用パッドを固定する。
更に、各腋窩近傍に位置する各腕用パッドの左右径大口近傍のパッド地をブラジャーの中へ押し込む。
【００２６】
ショルダー式汗取りパッドは、装着が容易であるとともに、スポーツ等の運動を行っても、各腕用パッドが位置ずれすることなく上腕へ密着し、吸水部が確実に腋窩に当接して汗を漏れなく吸収する。また、胸元や背中が大きく開いた服を着てもショルダー式汗取りパッドが露出しないので、着れる服の自由度が高い。
【実施例】
【００２７】
〔実施例１〕
本発明の実施例１（請求項１、２、４に対応）に係る、ショルダー式汗取りパッドＡを、図１〜図３に基づいて説明する。
ショルダー式汗取りパッドＡは、左径小口部１１、右径大口１２に帯体２が取り付けられた右径大口部１３、上短曲面１４、吸水部３が内側に設けられ下長曲面１５を有する左腕用パッド１と、右径小口部４１、左径大口４２に帯体２が取り付けられた左径大口部４３、上短曲面４４、吸水部３が内側に設けられ下長曲面４５を有する右腕用パッド４とを備えてなる。
左腕用パッド１および右腕用パッド４は、可撓性材（綿、ポリウレタン）で形成され、偏心円錐筒状を呈する。
【００２８】
左腕用パッド１の左径小口部１１は、左上腕５１が通る円形穴であり、左径小口１６へ差し込まれた左腕ｈの左上腕５１を包囲する。左腕用パッド１の右径大口部１３は、左肩峰５２から左腋窩５３へ至る左上腕基部５４を包囲する。また、右径大口部１３の右径大口１２には、左側ブラジャー肩紐６１に固定するための帯体２、２、２が取り付けられている。
【００２９】
左腕用パッド１の上短曲面１４は、左径小口１６から右径大口１２までの寸法が短く、装着時に内側が左肩峰５２に当接する。左腕用パッド１の下長曲面１５は、左腋窩５３に当接する略ハート形の吸水部３が内側に設けられ、左径小口１６から右径大口１２までの寸法が長い。
【００３０】
右腕用パッド４の右径小口部４１は、右上腕５５が通る円形穴であり、右径小口４６へ差し込まれた右腕ｍの右上腕５５を包囲する。右腕用パッド４の左径大口部４３は、右肩峰５６から右腋窩５７へ至る右上腕基部５８を包囲する。また、左径大口部４３の左径大口４２には、右側ブラジャー肩紐６２に固定するための帯体２、２、２が取り付けられている。
【００３１】
右腕用パッド４の上短曲面４４は、右径小口４６から左径大口４２までの寸法が短く、装着時に内側が右肩峰５６に当接する。右腕用パッド４の下長曲面４５は、右腋窩５７に当接する略ハート形の吸水部３が内側に設けられ、右径小口４６から左径大口４２までの寸法が長い。
【００３２】
帯体２は、各径大口部外面に糸で縫い付けられ、突起２１を帯体外面に固着した一端側２２と、突起２１を挿入可能なリング２３を嵌着し、一端側２２へ自在に折り曲げ可能な他端側２４とを有する。
【００３３】
三層構造の吸水部３は、左腋窩５３および右腋窩５７の皮膚に当接する綿素材層３１と、吸収材で形成され両腋窩５３、５７の汗を吸収する吸収層３２と、ポリウレタンコーティングの防水性を有する防水層３３とからなる。
【００３４】
実施例１のショルダー式汗取りパッドＡは、以下の様にして着用する。
先ず、素肌の状態で、左腕用パッド１の右径大口１２へ左腕ｈを差し込んで左径小口１６から出し、左腕用パッド１を右手で左肩まで引っ張り上げる｛図２の（ａ）参照｝。これにより、左腕用パッド１の左径小口部１１が左上腕５１を包囲し、左肩峰５２から左腋窩５３へ至る左上腕基部５４を右径大口部１３が包囲し、上短曲面１４の内側が左肩峰５２に当接し、下長曲面１５の内側に設けた吸水部３が左腋窩５３に当接する。
【００３５】
次に、右腕用パッド４の左径大口４２へ右腕ｍを差し込んで右径小口４６から出し、右腕用パッド４を左手で右肩まで引っ張り上げる｛図２の（ｂ）参照｝。これにより、右腕用パッド４の右径小口部４１が右上腕５５を包囲し、右肩峰５６から右腋窩５７へ至る右上腕基部５８を左径大口部４３が包囲し、上短曲面４４の内側が右肩峰５６に当接し、下長曲面４５の内側に設けた吸水部３が右腋窩５７に当接する。
【００３６】
図２の（ｃ）の状態でブラジャー６を着用する。そして、右径大口１２に取り付けられた帯体２のリング２３を突起２１に嵌め込んで左側ブラジャー肩紐６１に左腕用パッド１を固定し、左径大口４２に取り付けた帯体２のリング２３を突起２１に嵌め込んで右側ブラジャー肩紐６２に右腕用パッド４を固定する。
【００３７】
更に、左腋窩５３近傍に位置する左腕用パッド１の右径大口１３近傍のパッド地をブラジャー６の中へ押し込み、右腋窩５７近傍に位置する右腕用パッド４の左径大口４２近傍のパッド地をブラジャー６の中へ押し込む｛図２の（ｄ）参照｝。
【００３８】
実施例１のショルダー式汗取りパッドＡは、以下の利点を有する。
左腕用パッド１および右腕用パッド４を各上腕５１、５５に装着して帯体２でブラジャー肩紐６１、６２にショルダー式汗取りパッドＡを固定し、その後、ブラジャー６を着用するだけで良いので装着が容易である。
また、ショルダー式汗取りパッドＡは、スポーツ等の運動を行っても、左腕用パッド１および右腕用パッド４が位置ずれすることなく左上腕５１、右上腕５５へ密着した状態を維持するので、吸水部３が確実に左腋窩５３、右腋窩５７に当接した状態を維持、吸水部３が汗を漏れなく吸収する。
さらに、ショルダー式汗取りパッドＡは、胸元や背中が大きく開いた服を着ても左右腕用パッド１、４が露出しないので、着れる服の自由度が高い。
【００３９】
吸水部３は三層構造であり、綿素材層３１が肌に接するので、肌にやさしく、肌触りが良い。また、吸収層３２が汗を吸収し、防水層３３が吸収層３２が吸収した汗の衣服への汗移りを防護する。
【００４０】
〔実施例２〕
本発明の実施例２（請求項３、４に対応）に係る、ショルダー式汗取りパッドＢを、図４、図５に基づいて説明する。
ショルダー式汗取りパッドＢは、図５（ａ）に示すように、左径小口部１１、右径大口部１３、上短曲面１４、吸水部３が内側に設けられ下長曲面１５を有する左腕用パッド１と、右径小口部４１、左径大口部４３、上短曲面４４、吸水部３が内側に設けられ下長曲面４５を有する右腕用パッド４とを備え、帯体２を廃止し、帯状の背中当接帯７で左腕用パッド１と右腕用パッド４との間を連結している点がショルダー式汗取りパッドＡと異なる。
【００４１】
背中当接帯７は、左腕用パッド１の下長曲面１５の下部と、右腕用パッド４の下長曲面４５の下部とを連結している。
【００４２】
実施例２のショルダー式汗取りパッドＢは、以下の様にして着用する。
先ず、素肌の状態で、左腕用パッド１の右径大口１２へ左腕ｈを差し込んで左径小口１６から出し、背中当接帯７を背中に回し、背中の後ろ側で、右腕用パッド４の左径大口４２へ右腕ｍを差し込んで右径小口４６から出し、右腕用パッド４を右肩まで引っ張り上げ、左腕用パッド１を左肩まで引っ張り上げる。
【００４３】
これにより、左腕用パッド１の左径小口部１１が左上腕５１を包囲し、左肩峰５２から左腋窩５３へ至る左上腕基部５４を右径大口部１３が包囲し、上短曲面１４の内側が左肩峰５２に当接し、下長曲面１５の内側に設けた吸水部３が左腋窩５３に当接する。
【００４４】
また、右腕用パッド４の右径小口部４１が右上腕５５を包囲し、右肩峰５６から右腋窩５７へ至る右上腕基部５８を左径大口部４３が包囲し、上短曲面４４の内側が右肩峰５６に当接し、下長曲面４５の内側に設けた吸水部３が右腋窩５７に当接する｛図５の（ｂ）参照｝。
【００４５】
つぎに、ブラジャー６を着用する｛図５の（ｃ）参照｝。
そして、肩峰５２、５６近傍に位置する径大口１２、４２近傍のパッド地を各ブラジャー肩紐６１、６２で押さえる。更に、左腋窩５３近傍に位置する左腕用パッド１の右径大口１２近傍のパッド地をブラジャー６の中へ押し込み、右腋窩５７近傍に位置する右腕用パッド４の左径大口４２近傍のパッド地をブラジャー６の中へ押し込む｛図５の（ｄ）参照｝。
【００４６】
実施例２のショルダー式汗取りパッドＢは、以下の利点を有する。
ショルダー式汗取りパッドＢは、左腕用パッド１の右径大口１２へ左腕ｈを差し込んで左径小口１６から出し、背中当接帯７を背中に回し、背中の後ろ側で、右腕用パッド４の左径大口４２へ右腕ｍを差し込んで右径小口４６から出し、右腕用パッド４を右肩まで引っ張り上げ、左腕用パッド１を左肩まで引っ張り上げるだけで良いので装着が容易である。また、スポーツ等の運動を行っても、各腕用パッド１、４が位置ずれすることなく各上腕５１、５５へ密着するので、吸水部３が確実に腋窩５３、５７に当接し、腋窩５３、５７の汗を漏れなく吸収する。
【００４７】
ショルダー式汗取りパッドＢは、胸元が大きく開いた服を着ても露出しないので、着れる服の自由度が高い。
ショルダー式汗取りパッドＢは、左腕用パッド１の下長曲面１５の下部と、右腕用パッド４の下長曲面４５の下部とを背中当接帯７で連結する構造であるので、各ブラジャー肩紐６１、６２に、各腕用パッド１、４を固定するための帯体２を廃止することができ、各腕用パッド１、４のブラジャー肩紐６１、６２への固定作業が不要である。
【００４８】
吸水部３は三層構造であり、綿素材層３１が肌に接するので、肌にやさしく、肌触りが良い。また、吸収層３２が汗を吸収し、防水層３３が吸収層３２が吸収した汗の衣服への汗移りを防護する。
【産業上の利用可能性】
【００４９】
このショルダー式汗取りパッドＡ、Ｂを着用すれば、位置ずれせず、目立たず、腋窩の汗を漏れなく吸収することができ、女性の悩みを解決することができる。
【符号の説明】
【００５０】
Ａ、Ｂ  ショルダー式汗取りパッド
１  左腕用パッド
２  帯体（固定具）
３  吸水部
４  右腕用パッド
７  背中当接帯
１１  左径小口部
１２  右径大口
１３  右径大口部
１４、４４  上短曲面
１５、４５  下長曲面
１６  左径小口
２１  突起
２２  一端側
２３  リング
２４  他端側
３１  綿素材層
３２  吸収層
３３  防水層
４１  右径小口部
４２  左径大口
４３  左径大口部
４６  右径小口
５１  左上腕
５２  左肩峰
５３  左液窩
５４  左上腕基部
５５  右上腕
５６  右肩峰
５７  右液窩
５８  右上腕基部
６１  左側ブラジャー肩紐
６２  右側ブラジャー肩紐
【図１】
0003158942.tif 000003
【図２】
0003158942.tif 000004
【図３】
0003158942.tif 000005
【図４】
0003158942.tif 000006
【図５】
0003158942.tif 000007